【事件の表示】
　特願２０１１−１６６３８２「撮像素子およびその製造方法」拒絶査定不服審判事件〔平成２５年　２月　７日出願公開、特開２０１３−　３０６５２、請求項の数（８）〕について、次のとおり審決する。
【結　論】
　原査定を取り消す。
　本願の発明は、特許すべきものとする。
【理　由】
１　手続の経緯　
　本願は，平成２３年７月２９日の出願であって，その手続の経緯は以下のとおりである。
平成２６年　７月２３日　審査請求・手続補正
平成２７年　１月２０日　拒絶理由通知
平成２７年　３月１３日　意見書・手続補正
平成２７年　８月２８日　拒絶査定（以下，「原査定」という）
平成２７年１１月２７日　審判請求・手続補正
平成２８年　９月２８日　拒絶理由通知（以下，「当審拒絶理由」という）
平成２８年１１月２１日　意見書・手続補正
　
２　本願発明
　本願の請求項１ないし８に係る発明は，平成２８年１１月２１日付けの手続補正で補正された特許請求の範囲の請求項１ないし８に記載された事項により特定されるものと認められる。
　そして，本願の請求項１に係る発明（以下，「本願発明」という。）は以下のとおりである。
「光を受光するフォトダイオード部と，
　前記フォトダイオード部の少なくとも一部と対向する第１のカラーフィルタと，前記第１のカラーフィルタと対向する前記第１のカラーフィルタと同色の第２のカラーフィルタと
　を含む第１の単位画素と，
　光を受光する前記フォトダイオード部と異なる他のフォトダイオード部と，
　前記他のフォトダイオード部の少なくとも一部と対向する前記第１および第２のカラーフィルタと異色の第３のカラーフィルタと
　を含む前記第１の単位画素に隣接する第２の単位画素とを備え，
　前記第１のカラーフィルタと前記第２のカラーフィルタとは離間しており，かつ，それぞれ異なる分光透過率特性を有しており，
　前記第１のカラーフィルタと前記第２のカラーフィルタがそれぞれ有する分光透過率特性の波形が近似する程度を示す類似度は，前記第１のカラーフィルタと前記第２の単位画素に含まれる前記第３のカラーフィルタがそれぞれ有する分光透過率特性の類似度よりも高く，前記第２のカラーフィルタと前記第２の単位画素に含まれる前記第３のカラーフィルタがそれぞれ有する分光透過率特性の類似度よりも高く，
　前記第１の単位画素は，前記第１のカラーフィルタと前記第２のカラーフィルタを含むＮ枚のカラーフィルタを有し，
　前記第２の単位画素は，前記第３のカラーフィルタを含むＭ枚のカラーフィルタを有し，
　前記Ｎは２以上の整数値であり，前記Ｍは前記Ｎとは異なる１以上の整数値であり，かつ，前記Ｎは，前記Ｍより大きく，
　前記第１の単位画素は，複数の色の単位画素からなる画素ユニットのうち最も数の多い色の単位画素であり，前記第２の単位画素は，前記第１の単位画素以外の色の単位画素である
　撮像素子。」
　
３　原査定の理由の概要
　引用文献１（特開２００７−２９４５５２号公報）には，単位画素が第１のカラーフィルタの１枚のカラーフィルタを有する場合と，単位画素が第１のカラーフィルタと第２のカラーフィルタの２枚のカラーフィルタを有する場合が記載されている（段落［００２５］，［００８３］，［図４］，［図１６］等の記載を参照のこと。）。そして，引用文献１に記載されたものを組み合わせて，第１の単位画素に第１のカラーフィルタと第２のカラーフィルタからなる２枚のカラーフィルタを有し，第２の単位画素に第３のカラーフィルタからなる１枚のカラーフィルタを有する構成とすることは，当業者が適宜なし得たことである。
　よって，本願発明は，引用文献１に記載された発明に基づいて，当業者が容易に発明することができたものであるから，依然として，特許法第２９条第２項の規定により特許を受けることができない。
　
４　原査定の理由の判断
（１）引用文献１の記載及び引用発明１ 
　ア　引用文献１には，図面と共に以下の記載がある。 
（ア）「【００２０】 
　［第１の実施の形態］ 
 【００２１】 
　
図１は，本発明の第１の実施の形態による固体撮像装置１を示す概略構成図である。本実施の形態による固体撮像装置１は，ＣＭＯＳ型固体撮像装置として構成されている。もっとも，本発明はＣＣＤ型などの他の固体撮像装置にも適用可能である。
 【００２２】 
　図１に示すように，本実施の形態による固体撮像装置１は，一般的なＣＭＯＳ型固体撮像装置と同様に，垂直走査回路２と，水平走査回路３と，２次元状に配置された複数の単位画素４と，読み出し回路５と，出力アンプ６とを有している。
各画素４のフォトダイオード１５（図１では図示せず。図２参照）が出力する電気信号が垂直走査回路２によって読み出し回路５に行単位で取り出され，水平走査回路３によって列単位で出力アンプ６を介して出力端子７に画像信号として出力されるようになっている。各画素４は，青色光を撮像するＢ画素，緑色光を撮像するＧ画素，赤色光を撮像するＲ画素としてそれぞれ割り当てられている。これらの配列としては，ベイヤー配列が採用されている。
 【００２３】 
　図２は，図１中の単位画素４を示す回路図である。
各画素４は，図２に示すように，選択トランジスタ１１と，ソースフォロアの増幅トランジスタ１２と，リセットトランジスタ１３と，転送トランジスタ１４と，光電変換を行う受光部としてのフォトダイオード１５とから構成されている。
 ・・・・ 
 【００２５】 
　図３は，本実施の形態による固体撮像装置１のＢ画素４Ｂ，Ｇ画素４Ｇ及びＲ画素４Ｒを示す概略断面図である。図３に示すように，Ｂ画素４Ｂ，Ｇ画素４Ｇ及びＲ画素４Ｒは，基本的に同一の構造を有しているが，後述する第１のカラーフィルタ４７（４７Ｂ，４７Ｇ，４７Ｒ）の波長選択特性は対応する色に合わせて異なっている。
 ・・・・ 
 【００２９】 
　
本実施の形態では，層間絶縁膜３９〜４２には，フォトダイオード１５に対応する箇所において孔４６が形成されている。各画素４Ｂ，４Ｇ，４Ｒにおいて，孔４６の底部に第１のカラーフィルタ４７Ｂ，４７Ｇ，４７Ｒがそれぞれ形成されている。これにより，第１のカラーフィルタ４７Ｂ，４７Ｇ，４７Ｒが，各フォトダイオード１５に対応するように基板３１上にオンチップで形成されている。本実施の形態では，第１のカラーフィルタ４７Ｂ，４７Ｇ，４７Ｒは，その上面が最下の配線層４３の上面よりも低い位置に位置するように，形成されている。これにより，第１のカラーフィルタ４７Ｂ，４７Ｇ，４７Ｒとフォトダイオード１５との間の間隔は，大幅に狭くなっている。もっとも，本発明では，第１のカラーフィルタ４７Ｂ，４７Ｇ，４７Ｒは，その上面が最上の配線層４５の上面よりも低い位置に位置するように，形成すればよく，例えば，第１のカラーフィルタ４７Ｂ，４７Ｇ，４７Ｒの上面が，配線層４３の上面と配線層４４の上面との間の高さ位置，あるいは，配線層４４の上面と配線層４５の上面との間の高さ位置に位置するように，形成してもよい。ただし，第１のカラーフィルタ４７Ｂ，４７Ｇ，４７Ｒは，混色をより低減するためには，低い位置に配置するほど好ましい。
 【００３０】 
　
カラーフィルタ４７Ｂは，青色光を選択的に透過させる波長選択特性を有している。同様に，カラーフィルタ４７Ｇ，４７Ｒは，緑色光及び赤色光をそれぞれ選択的に透過させる波長選択特性を有している。
 【００３１】 
　
本実施の形態では，第１のカラーフィルタ４７Ｂ，４７Ｇ，４７Ｒは，有機系材料で単層膜として構成されており，例えば，顔料を含むフォトレジストで構成されている。
 【００３２】 
　
図３に示すように，各画素４Ｂ，４Ｇ，４Ｒにおいて，カラーフィルタ４７Ｂ，４７Ｇ，４７Ｒの上方には，シリコン酸化膜等からなる平坦化膜４８を介してマイクロレンズ４９が形成されている。孔４６には，平坦化膜４８が充填されている。
 ・・・・ 
 【００３４】 
　図４は，本実施の形態による固体撮像装置１の入射光の様子を示す概略断面図である。図４は，隣り合うＧ画素４Ｇ及びＲ画素４Ｒを示しており，図３に対応している。ただし，図４では，孔４６の図示は省略している。ここでは，
隣り合うＧ画素４Ｇ及びＲ画素４Ｒの例を挙げて入射光の様子を説明するが，いずれの画素についても同様である。
　（イ）「【００４４】 
　［第２の実施の形態］ 
 【００４５】 
　図６は，本発明の第２の実施の形態による固体撮像装置のＢ画素４Ｂ，Ｇ画素４Ｇ及びＲ画素４Ｒを示す概略断面図である。図６において，図３中の要素と同一又は対応する要素には同一符号を付し，その重複する説明は省略する。 
 【００４６】 
　本実施の形態による固体撮像装置が第１の実施の形態による固体撮像装置１と異なる所は，
各画素４Ｂ，４Ｇ，４Ｒにおいて，第１のカラーフィルタ４７Ｂ，４７Ｇ，４７Ｂが，干渉効果による波長選択特性を持つように複数層からなる積層膜で構成されている
 【００４７】 
　本実施の形態では，
Ｂ画素４Ｂのカラーフィルタ４７Ｂは，フォトダイオード１５に対応するように厚さ５０ｎｍの熱酸化によるシリコン酸化膜３７上に順次積層された，厚さ２１０ｎｍのシリコン酸化膜５１，厚さ９０ｎｍの酸化チタン膜５２，厚さ９０ｎｍのシリコン酸化膜５３，厚さ４０ｎｍの酸化チタン膜５４，厚さ８０ｎｍのシリコン酸化膜５５，及び，厚さ１２０ｎｍの酸化チタン膜５６を，有している。カラーフィルタ４７Ｂは，これらの膜５１〜５６と，厚さ５０ｎｍのシリコン酸化膜３７とから構成されている。厚さ５０ｎｍのシリコン酸化膜３７及び厚さ２１０ｎｍのシリコン酸化膜５１は，全体として，カラーフィルタ４７Ｂの厚さ２６０ｎｍの１層目のシリコン酸化膜を構成している。
 【００４８】 
　また，本実施の形態では，
Ｇ画素４Ｇのカラーフィルタ４７Ｇは，フォトダイオード１５に対応するように厚さ５０ｎｍの熱酸化によるシリコン酸化膜３７上に順次積層された，厚さ１５０ｎｍのシリコン酸化膜６１，厚さ４０ｎｍの酸化チタン膜６２，厚さ９０ｎｍのシリコン酸化膜６３，厚さ４０ｎｍの酸化チタン膜６４，厚さ８０ｎｍのシリコン酸化膜６５，及び，厚さ１２０ｎｍの酸化チタン膜６６を，有している。カラーフィルタ４７Ｇは，これらの膜６１〜６６と，厚さ５０ｎｍのシリコン酸化膜３７とから構成されている。厚さ５０ｎｍのシリコン酸化膜３７及び厚さ１５０ｎｍのシリコン酸化膜６１は，全体として，カラーフィルタ４７Ｇの厚さ２００ｎｍの１層目のシリコン酸化膜を構成している。
 【００４９】 
　さらに，本実施の形態では，
Ｒ画素４Ｒのカラーフィルタ４７Ｒは，フォトダイオード１５に対応するように厚さ５０ｎｍの熱酸化によるシリコン酸化膜３７上に順次積層された，厚さ１９０ｎｍのシリコン酸化膜７１，厚さ４０ｎｍの酸化チタン膜７２，厚さ９０ｎｍのシリコン酸化膜７３，厚さ４０ｎｍの酸化チタン膜７４，厚さ８０ｎｍのシリコン酸化膜７５，及び，厚さ１２０ｎｍの酸化チタン膜７６を，有している。カラーフィルタ４７Ｒは，これらの膜７１〜７６と，厚さ５０ｎｍのシリコン酸化膜３７とから構成されている。厚さ５０ｎｍのシリコン酸化膜３７及び厚さ１９０ｎｍのシリコン酸化膜７１は，全体として，カラーフィルタ４７Ｒの厚さ２４０ｎｍの１層目のシリコン酸化膜を構成している。
 【００５０】 
　シリコン酸化膜の屈折率は約１．４６であり，酸化チタン膜の屈折率は約２．３０である。本実施の形態では，カラーフィルタ４７Ｂ，４７Ｇ，４７Ｒは，高屈折率層すなわち酸化チタン膜を３層有して構成されている。このように低屈折率層と高屈折率層を積層すると光の干渉効果によってある波長域では透過率を高くすることができ，これにより波長選択が可能となる。さらに，その膜厚をそれぞれの色の画素４Ｂ，４Ｇ，４Ｒ毎に前述したように変えることによって，透過波長域を最適化している。前述した構成の各画素４Ｂ，４Ｇ，４Ｒのカラーフィルタ４７Ｂ，４７Ｇ，４７Ｒの，シミュレーションにより得た波長選択特性を，図７に示す。各画素４Ｂ，４Ｇ，４Ｒのカラーフィルタ４７Ｂ，４７Ｇ，４７Ｒは，Ｒ，Ｇ，Ｂそれぞれの波長領域で透過率が高くなり，必要な波長選択特性が実現されることがわかる。」 
（ウ）「【００７１】 
　［第３の実施の形態］ 
 【００７２】 
　図１４は，本発明の第３の実施の形態による固体撮像装置のＢ画素４Ｂ，Ｇ画素４Ｇ及びＲ画素４Ｒを示す概略断面図である。図１３において，図３中の要素と同一又は対応する要素には同一符号を付し，その重複する説明は省略する。 
 【００７３】 
　本実施の形態による固体撮像装置が第１の実施の形態による固体撮像装置１と異なる所は，
各画素４Ｂ，４Ｇ，４Ｒにおいて，第１のカラーフィルタ４７Ｂ，４７Ｇ，４７Ｂが，干渉効果による波長選択特性を持つように複数層からなる積層膜で構成されている点
 【００７４】 
　本実施の形態では，
Ｂ画素４Ｂのカラーフィルタ４７Ｂは，フォトダイオード１５に対応するようにシリコン酸化膜からなる厚さ５０ｎｍの層間絶縁膜３７上に順次積層された，厚さ５０ｎｍのシリコン酸化膜８１，厚さ２０ｎｍの窒化シリコン膜８２，厚さ２０ｎｍのシリコン酸化膜８３，及び，厚さ６０ｎｍの窒化シリコン膜８４を，有している。カラーフィルタ４７Ｂは，これらの膜８１〜８４と，厚さ５０ｎｍのシリコン酸化膜３７とから構成されている。厚さ５０ｎｍのシリコン酸化膜３７及び厚さ５０ｎｍのシリコン酸化膜５１は，全体として，カラーフィルタ４７Ｂの厚さ１００ｎｍの１層目のシリコン酸化膜を構成している。
 【００７５】 
　また，本実施の形態では，
Ｇ画素４Ｇのカラーフィルタ４７Ｇは，フォトダイオード１５に対応するようにシリコン酸化膜からなる厚さ５０ｎｍの層間絶縁膜３７上に順次積層された，厚さ１４０ｎｍのシリコン酸化膜９１，厚さ６０ｎｍの窒化シリコン膜９２，厚さ５０ｎｍのシリコン酸化膜９３，及び，厚さ６０ｎｍの窒化シリコン膜９４を，有している。カラーフィルタ４７Ｇは，これらの膜９１〜９４と，厚さ５０ｎｍのシリコン酸化膜３７とから構成されている。厚さ５０ｎｍのシリコン酸化膜３７及び厚さ１４０ｎｍのシリコン酸化膜９１は，全体として，カラーフィルタ４７Ｇの厚さ１９０ｎｍの１層目のシリコン酸化膜を構成している。
 【００７６】 
　さらに，本実施の形態では，
Ｒ画素４Ｒのカラーフィルタ４７Ｒは，フォトダイオード１５に対応するようにシリコン酸化膜からなる厚さ５０ｎｍの層間絶縁膜３７上に順次積層された，厚さ１７０ｎｍのシリコン酸化膜１０１，厚さ７０ｎｍの窒化シリコン膜１０２，厚さ８０ｎｍのシリコン酸化膜１０３，及び，厚さ４０ｎｍの窒化シリコン膜１０４を，有している。カラーフィルタ４７Ｒは，これらの膜１０１〜１０４と，厚さ５０ｎｍのシリコン酸化膜３７とから構成されている。厚さ５０ｎｍのシリコン酸化膜３７及び厚さ１７０ｎｍのシリコン酸化膜１０１は，全体として，カラーフィルタ４７Ｒの厚さ２２０ｎｍの１層目のシリコン酸化膜を構成している。
 【００７７】 
　シリコン酸化膜の屈折率は約１．４６であり，窒化シリコン膜の屈折率は約２．０である。本実施の形態では，カラーフィルタ４７Ｂ，４７Ｇ，４７Ｒは，高屈折率層すなわち窒化シリコン膜を２層有して構成されている。前述した構成の各画素４Ｂ，４Ｇ，４Ｒのカラーフィルタ４７Ｂ，４７Ｇ，４７Ｒの，シミュレーションにより得た波長選択特性を，図１５に示す。各画素４Ｂ，４Ｇ，４Ｒのカラーフィルタ４７Ｂ，４７Ｇ，４７Ｒは，Ｒ，Ｇ，Ｂそれぞれの波長領域で透過率が高くなり，必要な波長選択特性が実現されることがわかる。」 
（エ）「【００８０】 
　［第４の実施の形態］ 
 【００８１】 
　
図１６は，本発明の第４の実施の形態による固体撮像装置の入射光の様子を示す概略断面図であり，図４に対応している。
 【００８２】 
　
本実施の形態による固体撮像装置が前記第１の実施の形態による固体撮像装置１と異なる所は，以下に説明する点である。
 【００８３】 
　
本実施の形態では，図１６に示すように，各画素４Ｇ，４Ｒにおいて，第１のカラーフィルタ４７Ｇ，４７Ｒの上方において平坦化膜４８上に，第２のカラーフィルタ２４７Ｇ，２４７Ｒがそれぞれ形成されている。カラーフィルタ２４７Ｇは緑色光を選択的に透過させる波長選択特性を有し，カラーフィルタ２４７Ｒは赤色光を選択的に透過させる波長選択特性を有している。
 【００８４】 
　
本実施の形態では，第２のカラーフィルタ２４７Ｇ，２４７Ｒ，２４７Ｂは，第１のカラーフィルタ４７Ｇ，４７Ｒ，４７Ｂと同様に，有機系材料で単層膜として構成されている。もっとも，第２のカラーフィルタ２４７Ｇ，２４７Ｒ，２４７Ｂは，例えば，前記第２の実施の形態や前記第３の実施の形態における第１のカラーフィルタ４７Ｇ，４７Ｒ，４７Ｂと同様に，干渉効果による波長選択特性を持つように複数層からなる積層膜で構成してもよい。
 【００８５】 
　本実施の形態では，前記第１の実施の形態と同じく第１のカラーフィルタ４７Ｇ，４７Ｒ，４７Ｂを有しているので，基本的に前記第１の実施の形態と同様に，混色を低減することができる。 
 【００８６】 
　そして，
本実施の形態では，第２のカラーフィルタ２４７Ｇ，２４７Ｒ，２４７Ｂが追加されているので，前記第１の実施の形態に比べて空間解像度を高めることができるという利点も得られる。
 【００８７】 
　すなわち，本実施の形態では，
図１６に示すように，Ｇ画素４Ｇのマイクロレンズ４９の端部付近に入射した光線Ｄについては，第２のカラーフィルタ２４７Ｇを透過してＧ光成分のみになって，配線層４３，４４で順次反射された後，Ｒ画素４Ｒの第１のカラーフィルタ４７Ｒに入射する。したがって，第１のカラーフィルタ４７ＲはＲ光を選択的に透過させＧ光成分を透過させないので，Ｇ光成分のみとなって第２のカラーフィルタ２４７Ｇに入射した光線Ｄは，第２のカラーフィルタ２４７を透過せずに，Ｒ画素４Ｒのフォトダイオード１５へ入射しない。よって，本実施の形態では，Ｇ画素４Ｇに対する入射光線である光線Ｄは，いかなる成分もＲ画素４Ｒのフォトダイオードへ入射しない。このため，本実施の形態によれば，光線ＤのＲ光成分がＲ画素４Ｒのフォトダイオード１５へ入射する前記第１の実施の形態に比べて，空間解像度を高めることができるのである。
 【００８８】 
　前記第１の実施の形態に対して第２のカラーフィルタ２４７Ｇ，２４７Ｒ，２４７Ｂを追加して本実施の形態を得たのと同様に，前記第２及び第３の実施の形態に対して第２のカラーフィルタ２４７Ｇ，２４７Ｒ，２４７Ｂを追加してもよい。」 
 （当審注．【００８４】の「実施の形態では，第２のカラーフィルタ２４７Ｇ，２４７Ｒ，２４７Ｂは，第１のカラーフィルタ４７Ｇ，
２４７Ｒ
２４７Ｂ
４７Ｒ
４７Ｂ
　また，【００８４】の「第２のカラーフィルタ２４７Ｇ，２４７Ｒ，２４７Ｂは，例えば，前記第２の実施の形態や前記第３の実施の形態における第１のカラーフィルタ４７Ｇ，
２４７Ｒ
２４７Ｂ
４７Ｒ
４７Ｂ
（オ）上記（ア）の【００２１】乃至【００２３】並びに図１，２より，複数のフォトダイオード１５を有する固体撮像装置が記載されており，固体撮像装置に形成されるフォトダイオード１５は光を受光することは自明である。 
（カ）図１６には，Ｇ画素４Ｇにおいて，第１のカラーフィルタ４７Ｇがフォトダイオード１５と対向し，第２のカラーフィルタ２４７Ｇが第１のカラーフィルタ４７Ｇと対向していることが記載され，Ｒ画素４Ｒにおいて，第１のカラーフィルタ４７Ｒがフォトダイオード１５と対向し，第２のカラーフィルタ２４７Ｒが第１のカラーフィルタ４７Ｒと対向していることが記載されている。 
（キ）図１６には，Ｇ画素４Ｇにおいて，第１のカラーフィルタ４７Ｇと第２のカラーフィルタ２４７Ｇが離間し，Ｒ画素４Ｒにおいて，第１のカラーフィルタ４７Ｒと第２のカラーフィルタ２４７Ｒが離間していることが記載されている。 
（ク）上記（ア）の【００３４】及び図１６には，Ｇ画素４ＧとＲ画素４Ｒが隣接していることが記載されている。
（ケ）上記（ア）の【００３０】及び上記（エ）の【００８３】より，Ｇ画素４Ｇにおいて，第１のカラーフィルタ４７Ｇ及び第２のカラーフィルタ２４７Ｇは緑色光を選択的に透過させる波長選択特性を有し，Ｒ画素４Ｒにおいて，第１のカラーフィルタ４７Ｒ及び第２のカラーフィルタ２４７Ｒは赤色光を選択的に透過させる波長選択特性を有することが記載されている。
　そうすると，「Ｇ画素４Ｇに含まれる第１のカラーフィルタ４７Ｇと第２のカラーフィルタ２４７Ｇがそれぞれ有する分光透過率特性の波形が近似する程度を示す類似度は，Ｇ画素４Ｇに含まれる第１のカラーフィルタ４７ＧとＲ画素４Ｒに含まれる第１のカラーフィルタ４７Ｒがそれぞれ有する分光透過率特性の類似度よりも高く，Ｇ画素４Ｇに含まれる第２のカラーフィルタ２４７ＧとＲ画素４Ｒに含まれる第１のカラーフィルタ４７Ｒがそれぞれ有する分光透過率特性の類似度よりも高い」ことは自明である。 
（コ）　上記（カ）より，Ｇ画素４Ｇは，第１のカラーフィルタ４７Ｇと第２のカラーフィルタ２４７Ｇを有し，Ｒ画素４Ｒは，第１のカラーフィルタ４７Ｒと第２のカラーフィルタ２４７Ｒを有することは明らかである。
　イ　引用発明１ 
　引用文献１には以下の発明（以下，「引用発明１」という。）が記載されていると認められる。 
　「光を受光するフォトダイオード１５と，フォトダイオード１５と対向する緑色光を選択的に透過させる波長選択特性を有している第１のカラーフィルタ４７Ｇと，第１のカラーフィルタ４７Ｇと対向する緑色光を選択的に透過させる波長選択特性を有する第２のカラーフィルタ２４７Ｇを含むＧ画素４Ｇと，
　光を受光するフォトダイオード１５と，フォトダイオード１５と対向する赤色光を選択的に透過させる波長選択特性を有している第１のカラーフィルタ４７Ｒと，第１のカラーフィルタ４７Ｒと対向する赤色光を選択的に透過させる波長選択特性を有する第２のカラーフィルタ２４７Ｒを含む，Ｇ画素４Ｇに隣接しているＲ画素４Ｒとを備え，
　第１のカラーフィルタ４７Ｇと第２のカラーフィルタ２４７Ｇは離間し，
　第１のカラーフィルタ４７Ｒと第２のカラーフィルタ２４７Ｒは離間し，
　Ｇ画素４Ｇに含まれる第１のカラーフィルタ４７Ｇと第２のカラーフィルタ２４７Ｇがそれぞれ有する分光透過率特性の波形が近似する程度を示す類似度は，Ｇ画素４Ｇに含まれる第１のカラーフィルタ４７ＧとＲ画素４Ｒに含まれる第１のカラーフィルタ４７Ｒがそれぞれ有する分光透過率特性の類似度よりも高く，Ｇ画素４Ｇに含まれる第２のカラーフィルタ２４７ＧとＲ画素４Ｒに含まれる第１のカラーフィルタ４７Ｒがそれぞれ有する分光透過率特性の類似度よりも高く，
　Ｇ画素４Ｇは，第１のカラーフィルタ４７Ｇと第２のカラーフィルタ２４７Ｇを有し，
　Ｒ画素４Ｒは，第１のカラーフィルタ４７Ｒと第２のカラーフィルタ２４７Ｒを有する
　固体撮像装置。」 
（２）本願発明と引用発明１との対比 
　ア　引用発明１の「Ｇ画素４Ｇ」，「第１のカラーフィルタ４７Ｇ」，「第２のカラーフィルタ２４７Ｇ」及び「『Ｇ画素４Ｇ』の『フォトダイオード１５』」は，それぞれ，本願発明の「第１の単位画素」，「第１のカラーフィルタ」，「第２のカラーフィルタ」，「『第１の単位画素』の『フォトダイオード部』」に相当する。 
　イ　引用発明１の「Ｒ画素４Ｒ」，「第１のカラーフィルタ４７Ｒ」及び「『Ｒ画素４Ｒ』の『フォトダイオード１５』」は，それぞれ，本願発明の「第２の単位画素」，「第３のカラーフィルタ」，「『第２の単位画素』の『他のフォトダイオード部』」に相当する。 
　ウ　以上より，本願発明と引用発明１とは下記エの点で一致し，下記オの点で相違すると認められる。 
　エ　一致点
「光を受光するフォトダイオード部と，
　前記フォトダイオード部の少なくとも一部と対向する第１のカラーフィルタと，前記第１のカラーフィルタと対向する前記第１のカラーフィルタと同色の第２のカラーフィルタと
　を含む第１の単位画素と，
　光を受光する前記フォトダイオード部と異なる他のフォトダイオード部と，
　前記他のフォトダイオード部の少なくとも一部と対向する前記第１および第２のカラーフィルタと異色の第３のカラーフィルタと
　を含む前記第１の単位画素に隣接する第２の単位画素とを備え，
　前記第１のカラーフィルタと前記第２のカラーフィルタとは離間しており，
　前記第１のカラーフィルタと前記第２のカラーフィルタがそれぞれ有する分光透過率特性の波形が近似する程度を示す類似度は，前記第１のカラーフィルタと前記第２の単位画素に含まれる前記第３のカラーフィルタがそれぞれ有する分光透過率特性の類似度よりも高く，前記第２のカラーフィルタと前記第２の単位画素に含まれる前記第３のカラーフィルタがそれぞれ有する分光透過率特性の類似度よりも高い，
　撮像素子。」
　オ　相違点
（ア）相違点１ 
　本願発明は，「前記第１のカラーフィルタと前記第２のカラーフィルタ」とは，「それぞれ異なる分光透過率特性を有して」いることが特定しているのに対し，引用発明１は，「第１のカラーフィルタ４７Ｇ」（本願発明の「第１のカラーフィルタ」に相当）及び「第２のカラーフィルタ２４７Ｇ」（本願発明の「第２のカラーフィルタ」に相当）がそれぞれ異なる分光透過率特性を有していることについて特定していない点。 
（イ）相違点２ 
　本願発明は，「前記第１の単位画素は，前記第１のカラーフィルタと前記第２のカラーフィルタを含むＮ枚のカラーフィルタを有し，前記第２の単位画素は，前記第３のカラーフィルタを含むＭ枚のカラーフィルタを有し，前記Ｎは２以上の整数値であり，前記Ｍは前記Ｎとは異なる１以上の整数値であり，かつ，前記Ｎは，前記Ｍより大きく，前記第１の単位画素は，複数の色の単位画素からなる画素ユニットのうち最も数の多い色の単位画素であり，前記第２の単位画素は，前記第１の単位画素以外の色の単位画素である」と特定しているのに対し，引用発明１は，「Ｇ画素４Ｇは，第１のカラーフィルタ４７Ｇと第２のカラーフィルタ２４７Ｇを有し，Ｒ画素４Ｒは，第１のカラーフィルタ４７Ｒと第２のカラーフィルタ２４７Ｒを有する」ことが特定されており，「Ｇ画素４Ｇ」と「Ｒ画素４Ｒ」のカラーフィルタが共に２枚であることを特定している点。 
（３）相違点の検討 
 ア　相違点１について 
　前記（１）ア（ア）及び同（エ）より，引用文献１には，Ｇ画素４Ｇの第１のカラーフィルタ４７Ｇは有機系材料で単層膜として構成され，Ｇ画素４Ｇの第２カラーフィルタ２４７Ｇは，干渉効果による波長選択特性を持つように複数層からなる積層膜で構成されていることが記載されていると認められる。 
　ところで，有機系材料の単層膜から構成されるカラーフィルタと，干渉効果を利用した積層膜から構成されるカラーフィルタとでは，同色であっても分光透過率特性を完全に一致させることはできないことは，本願出願日前の技術常識である。 
　そうすると，引用発明１において，Ｇ画素４Ｇの第１のカラーフィルタ４７Ｇと第２カラーフィルタ２４７Ｇは異なる分光透過率特性を有していると認められる。 
　したがって，相違点１に係る構成は，引用発明１も備えているから，相違点１は実質的な相違点ではない。 
　イ　相違点２について 
　引用発明１では，「Ｇ画素４Ｇ」と「Ｒ画素４Ｒ」のカラーフィルタが共に２枚であることを特定しており，前記（１）ア（ア）より，引用文献１（特に【００２５】及び図４参照）には，「Ｇ画素４Ｇ」と「Ｒ画素４Ｒ」のカラーフィルタが共に１枚であることが記載されていると認められる。
　しかし，両者を組み合わせることは引用文献１には記載も示唆もされていないし，さらに，両者を組み合わせるにあたり，ベイヤー配列を前提とした（前記（１）ア（ア）【００２２】）上で，Ｇ画素のカラーフィルタの方を２枚にして「前記第１の単位画素は，複数の色の単位画素からなる画素ユニットのうち最も数の多い色の単位画素であり，前記第２の単位画素は，前記第１の単位画素以外の色の単位画素である」ようにすることは，引用文献１には，記載も示唆もされていない。
　そして，本願発明は相違点２に係る構成を有することにより，コストを抑制しつつ，混色の量とコストの関係とのバランスが得られる（本願明細書段落【０１０６】）という有利な効果を奏するものとなる。
（４）小括
　したがって，本願発明は，引用発明１に基づいて，当業者が容易に発明をすることができたとはいえない。
（５）請求項２ないし８について
　本願の請求項２ないし８に係る発明は，本願発明の発明特定事項をすべて含みさらに別の発明特定事項を付加したものに相当するから，本願発明が前記（４）のとおり，引用文献１に記載された発明に基づいて，当業者が容易に発明をすることができたとはいえない以上，請求項２ないし８に係る発明も同様の理由で，引用文献１に記載された発明に基づいて，当業者が容易に発明をすることができたとはいえない。
（６）まとめ
　よって，原査定の理由によっては，本願を拒絶することはできない。
　
５　当審拒絶理由について
（１）当審拒絶理由の概要
　本願発明は，その出願前日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。 
　　　　　　　記　　（引用文献等については引用文献等一覧参照） 
　　　　　　　　　　引　用　文　献　等　一　覧 
引用文献１　特開２００７−２９４５５２号公報 
引用文献２　特開２０１０−２５８１０４号公報 
引用文献３　米国特許出願公開第２００８／００９０３２３号明細書 
　引用発明１には，「Ｇ画素４Ｇ」と「Ｒ画素４Ｒ」のカラーフィルタが共に２枚であることを特定しており，引用文献１（特に【００２５】及び図４参照）には，「Ｇ画素４Ｇ」と「Ｒ画素４Ｒ」のカラーフィルタが共に１枚であることが記載されていると認められる。また，引用文献２及び３より「ある画素のカラーフィルタと他の画素のカラーフィルタが異なる枚数である撮像素子」が周知技術であることを考慮すると，Ｇ画素４Ｇのカラーフィルタの枚数とＲ画素４Ｒのカラーフィルタの枚数を異ならせることは当業者が適宜なし得たことである。 
　以上のとおりであるから，本願発明は，引用文献１に記載の発明並びに引用文献２及び３にみられる周知技術より，当業者が容易に成し得ることである。 
（２）引用発明１
　前記４（１）のとおり，引用文献１には引用発明１が記載されていると認められる。
（３）周知技術
　ア　引用文献２
　引用文献２には，図面とともに以下の記載がある。
（ア）「【００６３】
　（実施の形態２）
　図６は，本実施の形態に係る
固体撮像素子２００の構造を示す
【００６４】
　この固体撮像素子２００は，色フィルタが透明材料２０２を含むという点で実施の形態１の固体撮像素子１００と異なる。固体撮像素子２００は，ｐ型Ｓｉ基板１０１，複数の受光部１０２，層間絶縁膜１０３，配線層１０４，複数の色フィルタ，平坦化膜１０６，及び集光素子１０７より構成されている。
【００６５】
　
色フィルタは，複数の受光部１０２のそれぞれの上に配置されている。複数の色フィルタは，第１の色フィルタ１０８，第２の色フィルタ１０９，第３の色フィルタ１１２，及び透明材料２０２とを含む。第３の色フィルタ１１２は，色フィルタ１１１及び１１０から構成される。
【００６６】
　透明材料２０２は第１の色フィルタ１０８，第２の色フィルタ１０９及び色フィルタ１１１上に形成され，透明材料２０２上に色フィルタ１１０が形成されている。透明材料２０２は例えばＳｉＯ2，ＳｉＮ及びＴｉＯ2等から構成される。
【００６７】
　図７Ａ〜図７Ｅは，本実施の形態に係る固体撮像素子２００の色フィルタの製造方法を説明するための断面図である。
【００６８】
　まず，通常の半導体プロセスを用いて，ｐ型Ｓｉ基板１０１に，受光部１０２，層間絶縁膜１０３及び配線層１０４を形成する。
【００６９】
　次に，図７Ａに示すように，スピンオン法１５１で
マゼンダ色素を含むネガ型の顔料
色フィルタ１１１が形成される。
【００７０】
　次に，図７Ｂに示すように，スピンオン法１５１で
緑色素を含むネガ型の顔料
第２の色フィルタ１０９が形成される。
【００７１】
　次に，図７Ｃに示すように，スピンオン法１５１で
青色素を含むネガ型の顔料
第１の色フィルタ１０８が形成される。
【００７２】
　次に，図７Ｄに示すように，例えばＳｉＯ2から構成される透明材料２０２がＣＶＤ法で第１の色フィルタ１０８，第２の色フィルタ１０９及び色フィルタ１１１上に成膜され，ＣＭＰにより平坦化される。
【００７３】
　最後に，図７Ｅに示すように，スピンオン法１５１で
赤色素を含むネガ型の顔料
色フィルタ１１０が形成される。
【００７４】
　なお，本実施の形態に係る固体撮像素子２００の製造工程では，色フィルタを構成する材料としてネガ型の顔料カラーレジストを仮定しているが，ポジ型の顔料カラーレジストでも構わない。また，第１の色フィルタ１０８，第２の色フィルタ１０９及び第３の色フィルタ１１２の形成工程の順番を変更しても問題ない。
【００７５】
　以上のように本実施の形態に係る固体撮像素子２００によれば，第３の色フィルタ１１２を構成する色フィルタ１１０と色フィルタ１１１との間に透明材料２０２が設けられる
。従って，色フィルタ１１０と色フィルタ１１１との界面で生じうる光学的な干渉又は物理的な干渉を抑制することができ，第３の色フィルタ１１２において所望の分光特性をより忠実に再現することが可能となる。また，色フィルタ１１０が形成される際に，透明材料２０２により下地が平坦化されているため，色フィルタ１１０の形成プロセスが容易となる。」
（イ）図６には，
第１の色フィルタ１０８と受光部１０２が対向し，色フィルタ１１１及び１１０と受光部１０２が対向すること
　イ　引用文献３
　引用文献３には，図面とともに以下の記載がある。
（ア）「[0039] 
The color filter of the image sensor 
alleviating the cross-talk phenomenon
[0040]Referring to  FIG. 1 , an image sensor  10  of an embodiment of the present invention is, for example, a CMOS image sensor or a contact image sensor, but is not limited to this. 
The image sensor  10  includes photodiode doped regions  104
（訳：【００３９】本発明の
イメージセンサのカラーフィルタ
混色現象を軽減する
【００４０】図１を参照して，本発明の実施例のイメージセンサ１０は，例えば，ＣＭＯＳイメージセンサ又は，接触型イメージセンサであるが，これに限られない。
イメージセンサ１０はフォトダイオードのドープされた領域１０４，
（イ）「[0045] Referring to  FIG. 5 , generally speaking, the thickness of the color filters can be up to 1-2 #m, and the thickness of the first dielectric layer  106 a in the dielectric layer  106  is less than 1 #m. During the process, after the color filters and the first dielectric layer  106 a are formed, the color filters  108 b rise above the surface of the first dielectric layer  106 a, such that the subsequently formed second dielectric layer  106 b obviously has a rough surface. Referring to  FIG. 6 , according to the practical requirements, 
the color filters  108 b of  FIG. 6  can be divided into two parts  108 ba, and  108 bb as shown in  FIG. 6 , or can be divided into more parts, so as to achieve the same filtering effect.
（訳：【００４５】図５を参照して，一般的に，カラーフィルタの厚さは１〜２μｍまでであり得て，誘電体層１０６中の第１の誘電体層１０６ａの厚さは１μｍより小さい。製造工程において，カラーフィルターと第２の誘電体層１０６ａが形成された後，カラーフィルタ１０８ｂは第１の誘電体層１０６ｂの上に盛り上がり，よって，次に形成される第２の誘電体層１０６ｂは明らかに段差のある表面を持つことになる。図６を参照して，実装上の要求により，
図６のカラーフィルタ１０８ｂは，同一のフィルタ特性を得るように，図６に示されるように２つの部分１０８ｂａと１０８ｂｂに分割され，又はより多くの部分に分割され得る。
（ウ）「[0051] In the above-mentioned fabricating method of  FIG. 8 , if the thickness of color filters  708 a, and  708 b (indicated by dashed line) is larger than the thickness of dielectric layers  706 a, and  706 b, the subsequently formed dielectric layers  706 b, and  706 c obviously have a rough surface. If the roughness causes problems in lithography, according to the practical requirements, 
the color filters  708 a and  708 b of  FIG. 8  are respectively divided into two parts  708 aa,  708 ab and  708 ba,  708 bb, as shown in  FIG. 9 , or are respectively divided into more parts, so as to achieve the same filtering effect.
（訳：【００５１】図８の上述の製造方法において，カラーフィルタ７０８ａ及び７０８ｂの厚さ（破線で示される。）が，誘電体層７０６ａ及び７０６ｂの厚さより大きく，結果として形成される誘電体層７０６ｂと７０６ｃが明らかに段差のある表面を有する。この段差がリソグラフィにおいて問題を起こすのならば，実装上の要求により，
同一のフィルター特性を得るために，図８のカラーフィルタ７０８ａ及び７０８ｂは，それぞれ，図９に示されるような２つの部分７０８ａａ，７０８ａｂ及び７０８ｂａ，７０８ｂｂに分割され，又は，それぞれそれ以上の部分に分割される。
（エ）図６には，
カラーフィルタ１０８ａにフォトダイオード１０４が対向し，カラーフィルタ１０８ｂａ及び１０８ｂｂがフォトダイオード１０４に対向すること
（オ）図９には，
カラーフィルタ７０８ａａ及び７０８ａｂにフォトダイオード１０４が対向し，カラーフィルタ７０８ｃにフォトダイオード１０４が対向すること
　ウ　周知技術
　前記ア及びイから，以下の事項は周知技術と認められる。
「ある画素のカラーフィルタと他の画素のカラーフィルタが異なる枚数である撮像素子。」
（４）本願発明と引用発明１との対比
　前記４（２）のとおり，本願発明と引用発明１とは下記ア及びイの点で相違するが，その余の点で一致すると認められる。
　ア　相違点１
　本願発明は，「前記第１のカラーフィルタと前記第２のカラーフィルタ」とは，「それぞれ異なる分光透過率特性を有して」いることが特定しているのに対し，引用発明１は，「第１のカラーフィルタ４７Ｇ」（本願発明の「第１のカラーフィルタ」に相当）及び「第２のカラーフィルタ２４７Ｇ」（本願発明の「第２のカラーフィルタ」に相当）がそれぞれ異なる分光透過率特性を有していることについて特定していない点。 
　イ　相違点２
　本願発明は，「前記第１の単位画素は，前記第１のカラーフィルタと前記第２のカラーフィルタを含むＮ枚のカラーフィルタを有し，前記第２の単位画素は，前記第３のカラーフィルタを含むＭ枚のカラーフィルタを有し，前記Ｎは２以上の整数値であり，前記Ｍは前記Ｎとは異なる１以上の整数値であり，かつ，前記Ｎは，前記Ｍより大きく，前記第１の単位画素は，複数の色の単位画素からなる画素ユニットのうち最も数の多い色の単位画素であり，前記第２の単位画素は，前記第１の単位画素以外の色の単位画素である」と特定しているのに対し，引用発明１は，「Ｇ画素４Ｇは，第１のカラーフィルタ４７Ｇと第２のカラーフィルタ２４７Ｇを有し，Ｒ画素４Ｒは，第１のカラーフィルタ４７Ｒと第２のカラーフィルタ２４７Ｒを有する」ことが特定されており，「Ｇ画素４Ｇ」と「Ｒ画素４Ｒ」のカラーフィルタが共に２枚であることを特定している点。
（５）相違点の検討
 ア　相違点１について 
　前記４（１）ア（ア）及び同（エ）より，引用文献１には，Ｇ画素４Ｇの第１のカラーフィルタ４７Ｇは有機系材料で単層膜として構成され，Ｇ画素４Ｇの第２カラーフィルタ２４７Ｇは，干渉効果による波長選択特性を持つように複数層からなる積層膜で構成されていることが記載されていると認められる。 
　ところで，有機系材料の単層膜から構成されるカラーフィルタと，干渉効果を利用した積層膜から構成されるカラーフィルタとでは，同色であっても分光透過率特性を完全に一致させることはできないことは，本願出願日前の技術常識である。 
　そうすると，引用発明１において，Ｇ画素４Ｇの第１のカラーフィルタ４７Ｇと第２カラーフィルタ２４７Ｇは異なる分光透過率特性を有していると認められる。 
　したがって，相違点１に係る構成は，引用発明１も備えているから，相違点１は実質的な相違点ではない。 
　イ　相違点２について 
　引用発明１には，「Ｇ画素４Ｇ」と「Ｒ画素４Ｒ」のカラーフィルタが共に２枚であることを特定しており，前記４（１）ア（ア）より，引用文献１（特に【００２５】及び図４参照）には，「Ｇ画素４Ｇ」と「Ｒ画素４Ｒ」のカラーフィルタが共に１枚であることが記載されていると認められる。
　しかし，両者を組み合わせるにあたり，ベイヤー配列を前提とした（前記（１）ア（ア）【００２２】）上で，Ｇ画素のカラーフィルタの方を２枚にして「前記第１の単位画素は，複数の色の単位画素からなる画素ユニットのうち最も数の多い色の単位画素であり，前記第２の単位画素は，前記第１の単位画素以外の色の単位画素である」ようにすることは，引用文献１及び周知技術には，記載も示唆もされていない。
　そして，本願発明は相違点２に係る構成を有することにより，コストを抑制しつつ，混色の量とコストの関係とのバランスが得られる（本願明細書段落【０１０６】）という有利な効果を奏するものとなる。
（６）小括
　したがって，本願発明は，引用発明１及び周知技術に基づいて，当業者が容易に発明をすることができたとはいえない。
（７）請求項２ないし８について
　本願の請求項２ないし８に係る発明は，本願発明の発明特定事項をすべて含みさらに別の発明特定事項を付加したものに相当するから，本願発明が前記（６）のとおり，引用文献１に記載された発明並びに引用文献２及び３にみられるような周知技術に基づいて，当業者が容易に発明をすることができたとはいえない以上，請求項２ないし８に係る発明も同様の理由で，引用文献１に記載された発明並びに引用文献２及び３にみられるような周知技術に基づいて，当業者が容易に発明をすることができたとはいえない。
（８）まとめ
　したがって，当審拒絶理由は解消した。
　
７　むすび
　以上のとおり，原査定の理由によっては，本願を拒絶することはできない。
　また，他に本願を拒絶すべき理由を発見しない。
　よって，結論のとおり審決する。